Podtech/llm-jp-corpus-v4-ja_patent huggingface dataset:
(57)【要約】【課題】油脂除去用石鹸において、洗髪に用いて油脂分吸収効果が高く、頭皮脂を除去できて頭毛の毛穴を開けることができ、毛髪の再生を促すことができる。【解決手段】馬油を含む石鹸素地にケナフ炭の微細粉末を含有させた石鹸であり、この石鹸を洗髪に繰り返し使用することで、ケナフ炭と馬油との油の吸着吸収の相乗効果により、効果的に頭髪の毛根周辺の脂汚れを取り、皮脂を除去できる。その結果、皮脂が原因と考えられる無毛状態（禿げ）になった頭皮の閉じた毛穴を開き、毛髪の再生を促がし、再発毛の効果が見られる。【特許請求の範囲】
【請求項１】
馬油を含む石鹸素地にケナフ炭の微細粉末を含有させたことを特徴とする油脂除去用石鹸。
【発明の詳細な説明】
【技術分野】
【０００１】
本発明は、油脂除去に適した馬油を含む石鹸に関する。
【背景技術】
【０００２】
従来から石鹸は、脂肪酸ナトリウム等の石鹸素地に、香料、着色剤等を練り法や枠練り等を用いて混入して製造されている。また、石鹸の製造工程で馬油を添加して製造した化粧石鹸が知られている（例えば、特許文献１参照）。
【特許文献１】特開平５−１３２６９８号公報
【発明の開示】
【発明が解決しようとする課題】
【０００３】
従来から馬油石鹸は洗浄力が高いことが分かっているが、単なる馬油石鹸は無毛状態となるのを防ぐ効能は認知されていない。
【０００４】
そこで、本発明者等は、頭髪が少なくなって、無毛状態（禿げ）となる一つの原因が、外界の空気中の汚れや自身の体から出てくる頭皮脂で毛穴が塞がれる状態が継続することで、弱った毛根からの毛の成長が衰え退化するものと考え、かかる頭皮の毛穴を閉じる頭皮脂を除去でき、頭毛の毛穴を開けることができる石鹸の開発を鋭意検討した。
【０００５】
本発明は、そのような背景に成されたもので、洗髪に用いて油脂分吸収効果が高く、頭皮脂を除去できて頭毛の毛穴を開けることができ、毛髪の再生を促すことができる油脂除去用石鹸を提供することを目的とする。
【課題を解決するための手段】
【０００６】
上記目的を達成するために、本発明は、馬油を含む石鹸素地にケナフ炭の微細粉末を含有させた油脂除去用石鹸である。
【発明の効果】
【０００７】
本発明の油脂除去用石鹸によれば、洗髪に繰り返し使用することで、ケナフ炭と馬油との油の吸着吸収の相乗効果により、頭髪の毛根周辺の脂汚れを効果的に取り、皮脂を除去できる。その結果、皮脂が原因と考えられる無毛状態（禿げ）になった頭皮の閉じた毛穴を開き、毛髪の再生が促され、再発毛の効果が見られた。
【発明を実施するための最良の形態】
【０００８】
以下、本発明の一実施形態に係る油脂除去用石鹸について説明する。この油脂除去用石鹸は、馬油を含む石鹸素地にケナフ炭の微細粉末を含有させたものである。この石鹸を、以下、本明細書では、ケナフ炭入りソープという。このケナフ炭入りソープの製造に際しては、馬油を含む石鹸の製造途上で石鹸を固形化する前に、ケナフ炭の微細粉末を混入する。馬油を含む石鹸素地に対するケナフ炭の重量成分は、例えば、１４％程度で、５〜３０％の範囲とすればよい。
【０００９】
馬油を含む石鹸素地の組成は、例えば、馬油５００ｃｃに対して、苛性ソーダを５０〜６０ｇ(グラム)、精製水を１００〜２００ｃｃとすればよい。本石鹸の製造は、通常の石鹸の製造方法と変わりない。また、木酢液を、製造途上において全体重量に対して僅かの量(例えば１％程度)を添加することがより好ましい。
【００１０】
ケナフ炭は、茎の皮繊維でなる靱皮部と芯の木質部からできているケナフを８００℃〜１０００℃で焼くことで得られる。ケナフ炭は、油の吸着吸収効果が高く、石鹸にケナフ炭を含有していることで、ケナフ炭と馬油の相乗効果で、頭皮の皮脂分の洗浄効果が格段に高まる。使用したケナフ炭の組成は、次の通りであった。
硬度：曲げ弾性率  平均（ＭＰａ）２６
吸着量測定：油の吸着実験３．２１（油）／ｇ（炭）
密度：ケナフ炭嵩密度  ０．１５ｇ／ｃｍ
【００１１】
本実施形態によるケナフ炭入りソープを用いて繰り返し継続して洗髪すると（例えば、３カ月乃至６カ月）、頭皮や毛根の油脂分を吸収でき、毛穴を清浄にし、ケナフ炭が馬油や木酸液の浸透を促し、頭皮の柔軟性を増し、毛根の活性化を図ることができる。その結果、過齢、ストレス、皮脂の蓄積等で頭髪の禿げた状態で、退化し弱った毛根に活力が生まれ、毛髪の再生を促すことができた。このことは、実験的に判明した。
【００１２】
ケナフ炭は、硬度に関して、弾性率がその他の炭に比べて低く、柔らかいので、粉体状のケナフ炭を石鹸に含有していても、通常の洗髪において、皮膚を摩擦しても皮膚表面を傷付けることはない。
【００１３】
また、本実施形態によるケナフ炭入りソープは、分解時間も早く、含有されたケナフ炭は、下水に流されても、微生物の住かとなり、水の浄化作用を促し、環境に優しいものである。また、上記のように、木酢液を混入した場合は、石鹸素地のアルカリ成分を中和できるとともに、ミネラル含有の石鹸となり、洗髪に使用したとき頭皮の活性化にも寄与することが考えられる。さらには、ローゼル（タイケナフ）の苞の抽出液を添加してもよい。
【００１４】
なお、本発明は、上記実施形態に限られず、発明の趣旨を変形しない範囲で種々の変形が可能であり、例えば、木酢液を混入した方がより好ましいが、これを混入していないものをも含む。
(57)【要約】【課題】  発明は屋根本体の融雪装置そのものを利用して軒先の雪庇、氷柱の形成を防止或は融雪して、より全体の融雪効果を高め、燃料費、電気代、維持費等が安価になるものを提供しようとするものである。【解決手段】  屋根本体の上面に棟側から軒先側への凹凸のある屋根材を取付け、屋根本体の棟側には行き戻りの一対のメインパイプを設置し、このメインパイプには屋根材の凸部空間に内設した往復放熱パイプの端末の夫々を連結して温水の循環を自在とし、この往復放熱パイプの折り返し部を軒先の先端より有効長突設させ、又屋根側部に位置する往復放熱パイプを蛇行させて、外側の蛇行部を外側に有効長突設させた融雪装置である。【選択図】  図１
2006249759.tif 000002
【特許請求の範囲】
【請求項１】
屋根本体の上面に棟側から軒先側への凹凸のある屋根材を取付け、屋根本体の棟側には行き戻りの一対のメインパイプを設置し、このメインパイプには屋根材の凸部空間に内設した往復放熱パイプの端末の夫々を連結して温水の循環を自在とし、この往復放熱パイプの折り返し部を軒先の先端より有効長突設させてなる融雪装置。
【請求項２】
屋根本体の側部に位置する一方の往復放熱パイプを蛇行させて、外側の蛇行部を側部外側に有効長突設させてなる請求項1記載の融雪装置。
【発明の詳細な説明】
【技術分野】
【０００１】
本発明は屋根の融雪、殊に軒先やケラバの雪庇（屋根からせり出し垂れ下がる雪の壁）の解消を目的とした融雪装置に関するものである。
【背景技術】
【０００２】
従来屋根の融雪装置としては、屋根本体に水を流す方法とか、温水パイプを屋根に直接配設したもの、温水パイプを埋め込んだパネルを敷設する方法などがあるが、屋根の本体部分の融雪を目的としたものが多く、そのため軒先の雪庇、氷柱の形成などを防止する特別の装置、例えばヒータ、温風等の特別の融雪装置を付設するものが殆どである。そのため、施工費が高くなるばかりか、燃料費、電気代、維持費等が嵩張る恐れがある。
【発明の開示】
【発明が解決しようとする課題】
【０００３】
そこで本発明は屋根本体の融雪装置そのものを利用して軒先やケラバ（屋根本体の側部）の雪庇、氷柱の形成を防止或は融雪して、全体の融雪効果を高め、燃料費、電気代、維持費等が安価になるものを提供しようとするものである。
【課題を解決するための手段】
【０００４】
本発明は、屋根本体の上面に棟側から軒先側への凹凸のある屋根材を取付け、屋根本体の棟側には行き戻りの一対のメインパイプを設置し、このメインパイプには屋根材の凸部空間に内設した往復放熱パイプの端末の夫々を連結して温水の循環を自在とし、この往復放熱パイプの折り返し部を軒先の先端より有効長突設させてなる融雪装置であり、又屋根本体の側部に位置する一方の往復放熱パイプを蛇行させて、外側の蛇行部を側部外側に有効長突設させてなる融雪装置である。
【発明の効果】
【０００５】
本発明は屋根本体上の放熱パイプの折り返し部を軒先の先端より有効長突設してあるので、雪庇の形成が防止されと共に出来た雪庇、氷柱も融雪されるので、軒先或は雪庇のための特別の融雪装置を設けることなく、経済的な融雪が出来る。
【実施例】
【０００６】
本発明を図示(図１において放熱パイプは凸部空間の上部に位置するように書いてあるが、実際は上部空間の内部に内設したもので、模式図として表してある。)の実施例により詳記すると、屋根本体１の上面に棟２側から軒先３側への凹凸のある屋根材４を取付け、屋根本体１の棟２側には行き戻りの一対のメインパイプ５，５’を設置し、このメインパイプ５，５’には屋根材４の凸部空間６に内設した往復放熱パイプ７の端末の夫々を連結して温水の循環を自在とし、この往復放熱パイプ７の折り返し部７’を軒先３の先端より有効長（略１５〜２０ｃｍ）外側に突設させてなるものである。屋根材４の凸部空間６の軒先側先端は適宜部材により閉じるようにし、又屋根材４の上面には適宜雪止め材を設け、雪の落下を防止して屋根の上で雪を溶かすようにする。
【０００７】
図中８はアルミ等の断熱シートである。既存の屋根に設置する場合は既存屋根の上面に断熱シート８を敷設して上記融雪装置を設置するようにする。新築屋根では野地板、ザラ板などの上に断熱シートを敷設して設置するようにする。
【０００８】
屋根の側部(ケラバ)９にも雪庇の形成されるのを防止或は融雪する場合は、該側部９に位置する往復放熱パイプ７を蛇行させて、外側の蛇行部７”を側部９の外側に有効長（略１５〜２０ｃｍ）突設させるようにする。この場合凸部空間６に図示しない横穴を開け、該横穴に蛇行部７”の放熱パイプ７を挿通するようにする。
【作用】
【０００９】
本発明は以上のように構成されるもので、その作用は以下のようになる。別途設けてあるボイラーによって暖められた温水(不凍液)は、行きのメインパイプ５に送り込まれ、この行きメインパイプ５の途中から放熱パイプ７に分流され、この分流された温水によって屋根部材４の上の雪は融雪され、同時に放熱パイプ７の折り返し部７’によって軒先に張り出す雪は融雪されて雪庇の形成が防止され、又出来た雪庇は融雪されて自然に落下する。同時に氷柱の形成もなく、凍り回りなどによる雨漏り、建物の損傷もない。
【００１０】
ケラバにも放熱パイプ７を設ける場合は突設している蛇行部７”によってケラバに張り出す雪は融雪されて雪庇の形成が防止され、又出来た雪庇は融雪されて自然に落下する。
【図面の簡単な説明】
【００１１】
【図１】本発明に係る屋根の融雪装置の模式斜視説明図。
【図２】同縦断側面説明図。
【図３】同縦断正面説明図。
【符号の説明】
【００１２】
１は屋根本体
２は棟
３は軒先
４は屋根材
５、５はメインパイプ
６は凸部空間
７は放熱パイプ
７’は折り返し部
７”は蛇行部
８は断熱シート
９は側部
【図１】
2006249759.tif 000003
【図２】
2006249759.tif 000004
【図３】
2006249759.tif 000005
(57)【要約】【課題】公知の楽器スタンドにおいては、スタンドの機能のみを目的としているためスタンド上下の空間が有効活用できない。そこで楽器保管スペース上下の空間を有効利用できる、省スペース性に優れ、かつ立て掛けるのみならず、掛止した状態で支持して保管できる楽器スタンドを提供することを課題とする。【解決手段】楽器のボディのための支持部材、および楽器のネックを当接させるための当接部材を接合した棒状のフレームを、あるいはネックを掛止させるための掛止部材を装着した棒状のフレームを、組立棚等の既存の棚に装着する。【選択図】図１
2006154846.tif 000002
【特許請求の範囲】
【請求項１】
楽器のボディのための支持部材、および楽器のネックを当接させるための当接部材を接合した棒状のフレームを、接続金具を用いて、組立棚等の既存の棚に装着することを特徴とする楽器スタンド。
【請求項２】
ネックを掛止させるための掛止部材、および掛止部材を支持するフレームを装着した棒状のフレームを、接続金具を用いて、組立棚等の既存の棚に装着することを特徴とする楽器スタンド。
【発明の詳細な説明】
【技術分野】
【０００１】  この発明は、楽器などを支持する楽器スタンドに関し、特にギター等の楽器を立て掛けたり、掛止め支持したりすることのできる楽器スタンドに関する。
【背景技術】
【０００２】  公知の楽器スタンドの多くは、土台となる三脚の中心から上に１本のパイプを伸ばしパイプの下部に楽器のボディを支えるアームを有し、パイプの上部にＵ字形の横に向いた、ネックを当接する形式、あるいは枠状のフレームと、該フレームに配置された長手方向に延びる２つの支持部材を有しており、該支持部材が互いに平行に延びていて楽器のボディのための支持部として働くようになっており、さらに前記枠状のフレームに、楽器のネックを当接させるための当接面を有する当接部材が配置されている形式が一般的であるが、いずれにおいても該スタンドの機能のみを目的としているためスタンド上下の空間が有効活用できない。
【発明の開示】
【発明が解決しようとする課題】
【０００３】  構造的に簡単に製造することができ、かつ楽器保管スペース上下の空間を有効利用できる、省スペース性に優れ、かつ立て掛けるのみならず、掛止した状態で支持して保管できる楽器スタンドを提供することを課題とする。
【課題を解決するための手段】
【０００４】  この課題を解決するために、第一発明は、楽器のボディのための支持部材、および楽器のネックを当接させるための当接部材を接合した棒状のフレームを、組立棚等の既存の棚に装着することを特徴とする楽器スタンドである。
第二発明はネックを掛止させるための掛止部材を装着した棒状のフレームを、組立棚等の既存の棚に装着することを特徴とする楽器スタンドである。
【発明の効果】
【０００５】  第一発明、または第二発明によれば、楽器保管スペース上下の空間を有効利用できる。
【発明を実施するための最良の形態】
【０００６】  次に図面に示した実施例に基づき本発明の実施形態を詳説する。【０００７】  図１によるスタンドは、楽器のボディのための支持部材５、６を有しており、両端が湾曲した固定金具７、８を介し、組立棚本体フレーム９に接続されている。また楽器のネックを当接させるための当接部材１を接合した棒状のフレーム２は、Ｕ字状の接続金具３を介し組立棚本体フレーム４に接続されている。【０００８】  図２によるスタンドは、楽器のネックを掛止させるための掛止部材１０を有しておりＶ字状の掛止部材支持フレーム１１に回転する構造１２を有するかたちで接合されさらに掛止部材支持フレーム１１が棒状のフレーム１３、１４に接続されている。このフレーム１３、１４はＵ字状の接続金具１５、１６を介し組立棚本体フレーム１７１８に接続されている。【０００９】「実施形態の効果」
この実施形態によれば、楽器保管スペースの上下に、任意に棚を設置することができる。したがって、空間の有効活用ができる。また、この発明を、１つの棚に複数実施することができるので、従来、必要としていた面積にて、数倍の収容力を得られる。【００１０】「他の実施形態」
図１の実施形態では、棒状のフレーム２に当接部材１を接合し装着したが、他の実施形態では、複数の接合孔を設けた棒状のフレーム２に当接部材１をねじ２０、ナット２１により、螺合するものでもよい。また、棚本体のフレームの形状によっては、接続金具または固定金具を用いずに、支持部材等を直接螺合２２、２３するものでもよい。
【図面の簡単な説明】
【００１１】
【図１】第一発明の一実施形態を示す斜視図である。
【図２】第二発明の一実施形態を示す斜視図である。
【図３】第一発明、および第二発明の組合せの一実施形態を示す斜視図である。
【図４】図１の楽器スタンドの第１変化実施例である。
【符号の説明】
【００１２】    １  当接部材１                    ２、１３、１４、１９  フレーム
３、１５、１６  接続金具          ４、９、１７、１８  組立棚本体フレーム
５、６  支持部材                  ７、８  固定金具
１０  掛止部材                    １１  掛止部材支持フレーム
１２  回転する構造                ２０  ねじ
２１  ナット                      ２２、２３  直接螺合部
【図１】
2006154846.tif 000003
【図２】
2006154846.tif 000004
【図３】
2006154846.tif 000005
【図４】
2006154846.tif 000006
(57)【要約】【課題】楽器の音色を良くするには良く乾燥した木材を使い、名人芸が必要であつた。其上ピアノ等はフルコンサートとなり巨大化して、小さな場所には入らなくなった。一般家庭ではせいぜいアップライトなので、此の回路を利用すれば、何千万円も出さずに、安価にフルコンサートの  シュタインウェイ？  やバイオリンで云へばストラスバリウス？  の音色を楽しむ事が出來る。【解決手段】場所も無い、金も無い、メーカーや名人芸に頼れない、そうなれば聴いて判らない様な、名器に近い疑似音を造る。音楽は心地好く聴ければ、それで良いのではないでしょうか。【選択図】  なし【特許請求の範囲】
【請求項１】
ピアノの各弦の上にギャップを設けてピックアップコイルを設置したり、バイオリン等の楽器にマイクロフォンを通して演奏する音を電気的に分離し、増幅してフィルター回路を通し、  各周波数に依り選別して、２現象のオッシロスコープに模範となる波形を出しながら、各種高調波特に奇数次高調波を何％、又は短かいエコーを混入するとか、位相を変へるとか、各種波形の加工技術を駆使して  模範の波形に近くなるように本来の音に混入すれば、楽器の持つ基本の音色を自由に変化させる事が出來る。アップライトでもフルコンサートのグランドピアノの様な音色になり、バイオリン等の楽器は忽ち名器に早変りする。
此の様な構成に依り楽器本来の音色に膨みを持たせて、人の耳が心地好いと感じるような響きを作り出す音質変換装置。
【請求項２】
ピアノ各弦の上にギャップを設けて、ピックアップコイルを設置して、その情報に依り、上下各オクターブを純電気的に、又は電気機械的にハンマーを叩いて演奏する様な装置を有するピアノ。
【発明の詳細な説明】
【技術分野】
【０００１】本発明は楽器本來の音質を変へる。及びオクターブ音発生に関する。
【背景技術】
【０００２】電気回路に依り音を造り出すことはエレクトーンや電気ピアノの様に弦を使はない楽器にすでに使はれていた。
【発明の開示】
【発明が解決しようとする課題】
【０００３】請求項１  良い音色の楽器は桁違いに高価で数も少く、一般的で無い。故に電気回路に依り、演奏された基本音に数％の高調波を加える事に依り音色は変化して名器となる。請求項２  片手で弾いてもオクターブが同時に鳴れば上手になった様に感じ、練習する者にとっては、へたなりに満足感が得られる。
【課題を解決するための手段】
【０００４】演奏された音の波形に奇数次高調波を合成したり、短かいエコーをかけたり、位相をづらしたり、模範とされる音を２現象オッシロスコープを見ながら、相似形になる様に各種波形を混合する割合を固定する。
【発明の課題】
【０００５】名器の素晴しい音色を演奏者の万人が安価に求めることが出來る。
楽器の音を採るには、テープヘッドやマイクロフォンの様なもので小さく周波数特性が勝れ楽器の本來の音を損なわない様なものでなければならぬ。
【産業上の利用可能性】
【０００６】上述した様に本発明の電気回路システムは安価に名器の音色と同じ様な音色になる為、何拠のメーカーでも好みの音色を容易に作ることが出來る。
(57)【要約】【課題】ＱＲコードのフレキソ印刷においては、版の材料に樹脂やゴムが使われるために印刷圧力により画像の太りが発生し、入力データの読み取り不能が予測される。【解決手段】ＱＲコードの各ドットの面積を予め小さくして製版することで、印刷時に太りが生じてもＱＲコードの正確な情報を読みとることが可能となる。【選択図】  図１
2006154696.tif 000002
【特許請求の範囲】
【請求項１】
作成されたＱＲコードのデータの各ドットの面積を０．０１％から７０％小さくして作成するフレキソ印刷用の版。
【発明の詳細な説明】
【技術分野】
【０００１】本発明はＱＲコードのフレキソ製版、フレキソ印刷に関する。
本発明はＱＲコードの各ドットの面積を予め小さくすることで、印刷時に太りが生じてもＱＲコードの正確な情報を読みとることを可能にするものである。
【背景技術】
【０００２】従来は図１の（Ａ）のＱＲコードのデータをそのまま製版し印刷していた
【発明の開示】
【発明が解決しようという課題】
【０００３】フレキソ印刷時においてＱＲコードの画像の太りによる読み取り不能な印刷物を無くそうというものである。
【課題を解決するための手段】
【０００４】作成されたＱＲコードのデータの各ドットを印刷後に予測される太りに応じて面積を小さ作り製版するものである。
【０００５】ドットの面積を小さくする手順はＱＲコードのデータにイラストレーター（商品名）のフィルタの機能を使って各ドットを合体させ、線の設定で数値入力すれば各ドットの任意の面積に縮小することができる。
【発明の効果】
【０００６】印刷圧力によるＱＲコードの太りで発生する不良品の解消、もしくは激減する。
【図面の簡単な説明】
【０００７】ＱＲコードデータ図１の（Ａ）のままで製版し印刷すると（Ｂ）のごとく画像の太りが発生し正確に読み取ることが困難となる。
そこで（Ｃ）のごとくＱＲコードデータのドットの面積を小さして製版、印刷すると（Ｄ）が示す通り読み取り可能な印刷ができる。
【図１】
2006154696.tif 000003
(57)【要約】【課題】練習者に合わせて、練習者の名前や家族の名前などの事前に選択された文字を、同一ページ内で練習することを可能にする練習帳。【解決手段】購入者が、練習者に合わせた練習者の名前をはじめ複数の文字を事前に選択し、その選択された文字を、予め記入され一部グレー化、もしくは破線状の模書練習用の手本文字として採用し、臨時練習用の枠と交互に配置する。【選択図】図１
2006154695.tif 000002
【特許請求の範囲】
【請求項１】
幼児などの文字練習帳に使用するものであって、方形状の文字枠内に予め記入され、一部グレー化した、もしくは破線状の模書（なぞり書き）練習用の手本文字と臨時練習用の文字枠を交互に配置したことを特徴とする文字練習帳。
【請求項２】
前記文字枠内に破線状の直線を交差させた枠内線を設けたことを特徴とする請求項１記載の文字練習帳。
【請求項３】
前記模書練習用の手本文字に、練習者の名前、練習者の家族の名前など購入者が選択した文字を予め記載することを特徴とする、請求項１または請求項２の文字練習帳。
【発明の詳細な説明】
【技術分野】
【０００１】この発明は、文字練習帳の内容を練習者の名前や家族の名前など練習したい文字を自分で選択できる文字練習帳に関するものである。
【背景技術】
【０００２】従来、予め決められている文字が決められた順序で配列されたものを鉛筆等で模書（なぞり書き）し、複数回練習をするような文字練習帳があった。
【発明の開示】
【発明が解決しようとする課題】
【０００３】しかし、これらの文字練習帳は、文字を書く練習が出来ても、練習者が興味を持って文字の練習をすることが出来なかった。
また、通常は最初に覚える文字は自分自身の名前であるが、自分の名前を書くための練習を従来の練習帳を使って行うには、複数ページにまたがって練習をしなければならないという問題もあった。
【課題を解決するための手段】
【０００４】この発明は、練習者が練習したい名前を事前に選択し、選択された名前など練習したい文字を方形状の枠線内に予め記入した一部グレー化、もしくは破線状の模書練習用の手本文字と臨時練習用の枠を交互に配置したものから成る文字練習帳を提供する。
【発明の効果】
【０００５】練習者の名前や家族の名前など最初に練習が必要となると思われる文字を複数ページにまたがって練習することなく、同一ページ上で練習することが可能になる。
【実施例】
【０００６】この発明の具体的実施例を図面に基づいて説明する。図１は本発明にかかる文字練習帳の紙面を表す図であり、選択された名前を同一ページ内で練習するべく構成されており、予め記入した一部グレー化された模書練習用の手本文字と臨時練習用の枠を交互に配置されている。【０００７】なお、図１は平仮名文字について実施例を説明したが、平仮名文字以外の各種文字例えばカタカナ文字、漢字、ローマ字等、その種類は問わない。又、一部グレー化された模書練習用手本文字と臨時練習用の文字枠は、年齢やレベルに応じて配置を変えることも可能である。
【図面の簡単な説明】
【０００８】
【図１】本発明にかかる文字練習帳の紙面を示す図である。
【符号の説明】
【０００９】１・・・紙面
２・・・事前に練習者用のために選択された、一部グレー化、もしくは破線状の模書練習用文字
３・・・臨時練習用枠
【図１】
2006154695.tif 000003